(57)【要約】【課題】受信局を代替局に切り替える際にミュート期間を短くすることが可能なデータ処理装置を提供する。【解決手段】データ処理装置は、第１設定データに応じた放送局の代替局の受信状況を確認するための条件が成立すると、前記第１設定データに応じた放送局の放送信号を受信する受信機から出力される前記代替局を示す代替局データに基づいて、前記受信機が前記代替局の放送信号を受信するための第２設定データを算出する算出部と、前記第２設定データが算出されると、前記第１設定データに応じた放送局の放送信号から前記受信機で生成される音声信号がミュートされるよう前記受信機を制御する制御部と、前記音声信号がミュートされた後、前記第２設定データを前記第１設定データとして前記受信機に設定する設定部と、を備える。【選択図】図１
2011077665.tif 000002
【特許請求の範囲】
【請求項１】
第１設定データに応じた放送局の代替局の受信状況を確認するための条件が成立すると、前記第１設定データに応じた放送局の放送信号を受信する受信機から出力される前記代替局を示す代替局データに基づいて、前記受信機が前記代替局の放送信号を受信するための第２設定データを算出する算出部と、
前記第２設定データが算出されると、前記第１設定データに応じた放送局の放送信号から前記受信機で生成される音声信号がミュートされるよう前記受信機を制御する制御部と、
前記音声信号がミュートされた後、前記第２設定データを前記第１設定データとして前記受信機に設定する設定部と、
を備えることを特徴とするデータ処理装置。
【請求項２】
請求項１に記載のデータ処理装置であって、
前記第１設定データは、
前記受信機のアンテナで受信される放送信号の帯域を制限するバンドパスフィルタに設定され、前記バンドパスフィルタの中心周波数を定める第１データと、
前記バンドパスフィルタから出力される出力信号の周波数を変換するための発振信号を生成する発振回路に設定され、前記発振信号の周波数を定める第２データと、
を含み、
前記算出部は、
前記条件が成立すると、前記代替局データに基づいて、前記中心周波数を前記代替局の放送信号の周波数とするための第３データと、前記出力信号の周波数を前記出力信号の周波数より低い所定の周波数へと変換するための第４データとを、前記第２設定データとして算出し、
前記設定部は、
前記音声信号がミュートされた後、前記第３データを前記第１データとして前記バンドパスフィルタに設定し、前記第４データを前記第２データとして前記発振回路に設定すること、
を特徴とするデータ処理装置。
【請求項３】
請求項２に記載のデータ処理装置であって、
前記バンドパスフィルタは、
前記第１データに応じた制御電圧を生成する電圧生成回路と、
前記アンテナで受信される放送信号の帯域を制限するとともに、前記制御電圧に応じて前記中心周波数を変化させる同調回路と、
を含み、
前記発振回路は、
設定される前記第２データに応じた分周比で前記発振信号を分周した分周信号の位相を、所定の周波数の基準信号の位相に一致させて前記第２データに応じた周波数の前記発振信号を出力する位相同期回路であり、
前記設定部は、
前記音声信号がミュートされると、前記第４データを前記第２データとして前記位相同期回路に設定した後、前記第３データを前記第１データとして前記電圧生成回路に設定すること、
を特徴とするデータ処理装置。
【請求項４】
請求項３に記載のデータ処理装置であって、
前記算出部は、
前記代替局データが複数の前記代替局を示すデータである場合、前記条件が成立すると、前記代替局データに基づいて、前記複数の前記代替局の夫々に対応する前記第３及び前記第４データを算出し、
前記設定部は、
前記音声信号がミュートされると、前記複数の前記代替局の周波数の高い順または低い順に、前記複数の前記代替局の夫々に対応する前記第３及び前記第４データを、前記電圧生成回路及び前記位相同期回路の夫々に設定すること、
を特徴とするデータ処理装置。
【請求項５】
マイクロコンピュータに、
第１設定データに応じた放送局の代替局の受信状況を確認するための条件が成立すると、前記第１設定データに応じた放送局の放送信号を受信する受信機から出力される前記代替局を示す代替局データに基づいて、前記受信機が前記代替局の放送信号を受信するための第２設定データを算出する手順と、
前記第２設定データが算出されると、前記第１設定データに応じた放送局の放送信号から前記受信機で生成される音声信号がミュートされるよう前記受信機を制御する手順と、
前記音声信号がミュートされた後、前記第２設定データを前記第１設定データとして前記受信機に設定する手順と、
を実現させるためのプログラム。
【請求項６】
第１設定データに応じた放送局の放送信号を受信して音声信号を生成するチューナと、
前記第１設定データに応じた放送局の放送信号に基づいて、前記第１設定データに応じた放送局の代替局を示す代替局データを生成する生成部と、
前記第１設定データに応じた放送局の代替局の受信状況を確認するための条件が成立すると、前記代替局データに基づいて、前記チューナが前記代替局の放送信号を受信するための第２設定データを算出する算出部と、
前記第２設定データが算出されると、前記音声信号がミュートされるよう前記チューナを制御する制御部と、
前記音声信号がミュートされた後、前記第２設定データを前記第１設定データとして前記チューナに設定する設定部と、
を備えることを特徴とする受信装置。
【発明の詳細な説明】
【技術分野】
【０００１】
本発明は、データ処理装置、プログラム、及び受信装置に関する。
【背景技術】
【０００２】
ラジオの放送信号に放送局や曲名等に関するデータを多重して配信するシステムが実用化されている。このようなシステムとしては、例えば、欧州におけるＲＤＳ（Radio Data System）や米国におけるＲＢＤＳ（Radio Broadcasting Data System）が知られている。
【０００３】
例えば、ＲＤＳの場合、放送信号には同一の番組を放送している代替局の周波数を示す代替局データが重畳されている。そして、ＲＤＳの放送信号を受信するＲＤＳ受信装置では、例えば、代替局データに基づいて、所定期間ごとに、放送信号の受信局をユーザから指定された放送局から代替局に切り替えて代替局の受信レベルを検出し、受信局を元の放送局に戻して受信を続けることが行われる。また、ＲＤＳ受信装置では、例えば、受信レベルが低下した場合に、受信局をユーザから指定された放送局から代替局に切り替えて代替局の受信レベルを検出し、受信レベルの高い代替局に受信局を自動的に切り替えることが行われる（例えば、特許文献１）。
【０００４】
このようなＲＤＳ受信装置では、受信局を代替局に切り替える際には、再生音の違和感を軽減するために、音声信号をミュートすることが一般的に行われる。そして、受信局を元に戻すか、受信レベルの高い代替局に切り替える際に、音声信号のミュートが解除される。
【先行技術文献】
【特許文献】
【０００５】
【特許文献１】特開平１０−１６３８９５号公報
【発明の概要】
【発明が解決しようとする課題】
【０００６】
ところで、放送信号の受信局は、例えば、マイコン等がＲＤＳ受信装置に設定する設定データに基づいて定められる。なお、ここで設定データは、例えは、ＲＤＳ受信装置のフロントエンドに設けられたバンドパスフィルタの中心周波数や、放送信号をダウンコンバートするための発振器の発振周波数等を定めるためのデータである。このような設定データは放送局毎に異なるため、例えばマイコンのメモリに全ての放送局の設定データを記憶させようとすると、メモリの容量は大きくなる。このため、一般にマイコンは、ユーザの操作結果や代替局データに基づいて、受信局の設定データを逐次算出する。
【０００７】
しがしながら、例えば、受信局を代替局に切り替える際の音声信号がミュートされている間にマイコンが代替局の設定データを算出すると、設定データが算出される期間に応じてミュート期間が長くなるという問題がある。
【０００８】
本発明は上記課題を鑑みてなされたものであり、受信局を代替局に切り替える際にミュート期間を短くすることが可能なデータ処理装置を提供することを目的とする。
【課題を解決するための手段】
【０００９】
上記目的を達成するため、本発明の一つの側面に係るデータ処理装置は、第１設定データに応じた放送局の代替局の受信状況を確認するための条件が成立すると、前記第１設定データに応じた放送局の放送信号を受信する受信機から出力される前記代替局を示す代替局データに基づいて、前記受信機が前記代替局の放送信号を受信するための第２設定データを算出する算出部と、前記第２設定データが算出されると、前記第１設定データに応じた放送局の放送信号から前記受信機で生成される音声信号がミュートされるよう前記受信機を制御する制御部と、前記音声信号がミュートされた後、前記第２設定データを前記第１設定データとして前記受信機に設定する設定部と、を備える。
【発明の効果】
【００１０】
受信局を代替局に切り替える際にミュート期間を短くすることが可能なデータ処理装置を提供することができる。
【図面の簡単な説明】
【００１１】
【図１】本発明の一実施形態であるＲＤＳ受信装置１０の構成を示す図である。
【図２】同調回路３０の構成を示す図である。
【図３】ＰＬＬ３４の構成を示す図である。
【図４】マイコン２５が実現する機能ブロックを示す図である。
【図５】代替局の受信状況の確認処理の一例を示すフローチャートである。
【図６】代替局の受信強度を取得する処理の一例を示すフローチャートである。
【発明を実施するための形態】
【００１２】
本明細書および添付図面の記載により、少なくとも以下の事項が明らかとなる。
【００１３】
図１は、本発明の一実施形態であるＲＤＳ受信装置１０の構成を示す図である。ＲＤＳ受信装置は、ＲＤＳの放送信号を受信して再生可能なラジオ受信装置であり、アンテナ２０、チューナ２１、パワーアンプ２２、スピーカ２３、ＲＤＳ復調回路２４、及びマイコン２５を含んで構成される。また、本実施形態のＲＤＳ受信装置は、カーステレオ（不図示）に設けられていることとする。なお、チューナ２１、ＲＤＳ復調回路２４が受信機に相当し、チューナ２１、ＲＤＳ復調回路２４、及びマイコン２５が受信装置に相当する。
【００１４】
チューナ２１は、同調回路３０、ＤＡコンバータ（ＤＡＣ）３１、レジスタ３２，３５、ミキサ（ＭＩＸ）３３、ＰＬＬ（Phase Locked Loop：位相同期回路）３４、フィルタ４０、ＩＦアンプ４１、検波回路４２、マトリクス回路（ＭＰＸ）４３、Ｓメータ回路５０、ＩＦカウンタ５１、クオリティセンサ回路（Ｑセンサ）５２、及びバス５３を含んで構成される。
【００１５】
同調回路３０は、アンテナ２０で受信する放送信号から所望の周波数の放送信号を抽出する。同調回路３０は、図２に示すように、例えばインダクタ７０、コンデンサ７１、バラクタ７２を含んで構成される。インダクタ７０と、コンデンサ７１及びバラクタ７２とは、並列に接続されているため、同調回路３０は、共振周波数ｆｃでインピーダンスが最大となる共振回路となる。
【００１６】
ここで、インダクタ７０のインダクタンスをＬ、コンデンサ７１、バラクタ７２の合成容量をＣとすると、共振周波数ｆｃは、１／（２π×（Ｌ×Ｃ）１／２）となる。また、バラクタ７２は、カソードに印加されるＤＡＣ３１の電圧Ｖｔが高くなると、バラクタ７２の容量は小さくなる。このため、電圧Ｖｔが高くなると合成容量Ｃも小さくなり、共振周波数ｆｃは高くなる。一方、電圧Ｖｔが低くなると前述とは逆に、共振周波数ｆｃは低くなる。
【００１７】
ＤＡコンバータ（ＤＡＣ）３１は、レジスタ３２に記憶される設定データＤ１（第１データ）に応じたアナログの電圧Ｖｔ（制御電圧）を生成する。レジスタ３２は、マイコン２５から出力されるデータを設定データＤ１として記憶する。設定データＤ１は、ＤＡコンバータ３１のいわゆるＤＡＣ値に相当する。また、同調回路３０、ＤＡコンバータ３１、レジスタ３２は、共振周波数ｆｃを中心周波数とするバンドパスフィルタに相当する。
【００１８】
ミキサ３３は、同調回路３０からの出力に対しＰＬＬ３４の発振信号を乗算して、同調回路３０の出力を所定の中間周波数ｆＩＦ（例えば、１０．７ＭＨｚ）へとダウンコンバートする。
【００１９】
ＰＬＬ３４は、レジスタ３５に記憶される設定データＤ２（第２データ）に基づいた発振周波数の発振信号を生成する。ＰＬＬ３４は、図３に示すように、電圧制御発振器（ＶＣＯ）８０、分周回路８１、位相比較回路８２、及びローパスフィルタ（ＬＰＦ）８３を含んで構成される。
【００２０】
ＶＣＯ８０は、例えば、ＬＰＦ８３の電圧Ｖａのレベルの上昇に応じて周波数の高くなる発振信号を生成する。  
分周回路８１は、設定データＤ２に基づいた分周比で発振信号を分周するプログラマブル分周回路である。なお、分周回路８１の分周比をＮとする。  
位相比較回路８２は、分周回路８１からの分周信号の位相と、例えば水晶発振器（不図示）からのクロック信号の位相とを比較し、位相差に応じたパルス信号を生成する。  
ＬＰＦ８３は、パルス信号の高周波成分を減衰させるとともに、ＰＬＬ４０における帰還ループの位相を補償する。
【００２１】
本実施形態の位相比較回路８２は、分周信号の位相がクロック信号の位相より遅くなると、電圧Ｖａが上昇するようなパルス信号を生成する。電圧Ｖａが上昇すると、発振信号の周波数は高くなるため位相差は小さくなる。一方、位相比較回路８２は、分周信号の位相がクロック信号の位相より速くなると、電圧Ｖａが低下するようなパルス信号を生成する。電圧Ｖａが低下すると、発振信号の周波数は低下するため位相差は小さくなる。このため、分周信号の位相と、クロック信号の位相とは一致することとなる。その結果、ＰＬＬ３４は、クロック信号の周波数と、分周回路８１の分周比Ｎとに応じた周波数の発振信号を生成する。
【００２２】
レジスタ３５は、マイコン２５から出力されるデータを設定データＤ２として保持する。前述のように、設定データＤ２は、分周比Ｎを定めるための分周比データである。
【００２３】
フィルタ４０は、ミキサ３３でダウンコンバータされた信号から、希望する放送局のチャネルを抽出するためのフィルタである。フィルタ４０は、中心周波数が中間周波数ｆＩＦであり、放送局のチャネルに応じた帯域が設定されたバンドパスフィルタである。なお、フィルタ４０から出力される信号をＩＦ信号とする。また、ＩＦ信号の中心周波数から５７ｋＨｚ±２ｋＨｚ程度の帯域には、音声信号、ＲＤＳ信号が含まる。  
ＩＦアンプ４１はＩＦ信号を増幅し、検波回路４２は、増幅されたＩＦ信号をＦＭ検波し検波信号を出力する。マトリクス回路（ＭＰＸ）４３は、検波信号に基づいて音声信号を生成する。
【００２４】
Ｓメータ回路５０は、ＩＦ信号に基づいて、所望のチャネルの受信電界強度に応じた信号ＳＤＣを出力する。信号ＳＤＣは、いわゆる、ＳメータＤＣであり、所望チャネルの受信電界強度が強くなると、信号ＳＤＣの電圧レベルは高くなる。  
ＩＦカウンタ５１は、ＩＦ信号の周波数をカウントする周波数カウンタである。ＩＦ信号の周波数は、例えば隣接妨害があると変化する。このため、ＩＦカウンタ５１が所定期間にカウントするカウント値は、隣接妨害の有無等により変化する。
【００２５】
クオリティセンサ回路（Ｑセンサ）５２は、例えばＩＦ信号に基づいて、所望のチャネルの隣接妨害やマルチパス妨害等を検出する回路である。前述のように、ＩＦ信号における音声信号、ＲＤＳ信号は、中間周波数ｆＩＦから５７ｋＨｚまでの帯域に含まれる。このため、例えば、ＩＦ信号の中心から６０ｋＨｚ以上の帯域に含まれる信号成分は、隣接妨害や、マルチパス妨害等のノイズ成分である。したがって、特に図示しないが、例えば、クオリティセンサ回路５２は、ＩＦ信号の高周波数成分（例えば、６０ｋＨｚ以上）を通過させるハイパスフィルタ（ＨＰＦ）と、ＨＰＦの出力を整流検波して直流電圧とする検波回路とを含んで構成される。なお、ここでは、クオリティセンサ回路５２の出力を信号ＳＱとする。  
バス５３は、マイコン２５で算出されるデータ等が出力される。
【００２６】
パワーアンプ（ＰＡ）２２は、音声信号を増幅し、スピーカ２３を駆動する。
【００２７】
ＲＤＳ復調回路２４（生成部）は、検波信号からＲＤＳデータを復調する。ＲＤＳ復調回路２４は、検波信号に含まれるＲＤＳ信号を抽出するフィルタ（不図示）と、フィルタからの出力をスライスしてデジタル化するスライス回路（不図示）とを含んで構成される。なお、ＲＤＳ復調回路２４からの出力をＲＤＳデータとする。また、ＲＤＳデータは、例えば、現在受信している放送内容を示すデータや、現在の受信局の代替局を示す代替局データを含む。
【００２８】
マイコン２５は、ＲＤＳ受信装置１０の全体を統括制御する回路であり、ＡＤコンバータ（ＡＤＣ）６０，６１、ＲＯＭ（Read Only Memory）６２、ＲＡＭ（Random Access Memory）６３、及びマイコンコア６４を含んで構成される。例えば、マイコン２５は、操作部（不図示）での受信局の選択操作等に基づいて、受信局を設定するためのＤＡＣ値、分周比データをチューナ２１に出力する。また、マイコン２５は、ユーザが指定している受信局の受信状態を検出し、各種処理を実行する。具体的には、例えば、マイコン２５は、受信局の受信状況が悪化すると、代替局の受信状況を確認する処理（以下、代替局サーチと称する）を実行する。
【００２９】
ＡＤコンバータ６０は、入力される信号ＳＤＣの電圧レベルをデジタル値に変換する。ＡＤコンバータ６１は、入力される信号ＳＱの電圧レベルをデジタル値に変換する。  
ＲＯＭ６２は、マイコンコア６４が実行するプログラムデータや、受信局に応じたＤＡＣ値や分周比データを算出する場合に用いられるデータを記憶する。受信局に応じたＤＡＣ値を算出する際のデータは、例えば、異なる３つのＤＡＣ値と、夫々のＤＡＣ値に応じて実際に測定された共振周波数ｆｃとの関係を示す測定データである。また、分周比データを算出する際に用いられるデータは、例えば、クロック信号の周波数を示す周波数データである。なお、前述の測定データにおける異なる３つのＤＡＣ値に対応する共振周波数ｆｃは、例えば、ｆｃ＝８７．５ＭＨｚ、９８．１ＭＨｚ、１０８ＭＨｚであることとする。また、測定データは、インダクタ７０等に製造バラツキ等があることから、チューナ２１ごとに異なる。  
ＲＡＭ６３には、マイコンコア６４が各種処理を実行する際のデータが記憶される。また、マイコン２５が起動されると、ＲＡＭ６３には前述の測定データや周波数データが記憶されることとする。  
マイコンコア６４は、ＲＯＭ６２に記憶されるプログラムデータを実行することにより各種機能を実現する。
【００３０】
図４は、マイコンコア６４がプログラムを実行することにより、マイコン２５に実現される機能ブロックの構成を示す図である。マイコン２５は、生成部９０、算出部９１、制御部９２、設定部９３、判定部９４、及び記憶部９５を実現する。
【００３１】
生成部９０は、所定の周期毎、または、ユーザが指定している放送局の受信状態が悪化すると、代替局サーチの開始を指示する指示信号を生成する。なお、受信状態の悪化は、例えば、信号ＳＤＣのレベルが所定より低下する場合、ＩＦカウンタ５１のカウント値が所定の値となる場合、信号ＳＱの値が所定より高くなる場合等が相当する。つまり、指示信号は、代替局の受信状況を確認するための条件が成立すると生成される。  
算出部９１は、操作部（不図示）での操作結果や、代替局データに基づいて、受信局を設定するためのＤＡＣ値、分周比データを算出する。
【００３２】
まず、算出部９１が操作部（不図示）での操作結果に基づいて、受信局を設定するＤＡＣ値、分周比データを算出する場合について説明する。例えば、ユーザが操作部（不図示）を操作し、受信局を１０１ＭＨｚとする場合、算出部９１は、操作結果と測定データとに基づいて、受信局のＤＡＣ値を算出する。具体的には、算出部９１は、測定データのうち、共振周波数ｆｃ＝９８．１ＭＨｚ、１０８ＭＨｚの夫々に対するＤＡＣ値を用いて、ＤＡＣ値と共振周波数との１次関数を導出する。なお、１次関数を導出する際には、例えば線形近似が用いられる。その後、算出部９１は、導出された１次関数に１０１ＭＨｚを代入することにより、１０１ＭＨｚに対するＤＡＣ値を算出する。また、算出部９１は、１０１ＭＨｚと、周波数データとに基づいて１０１ＭＨｚに対する分周比データを算出する。具体的には、例えば、基準クロックの周波数がαＭＨｚである場合、分周比データは１０１／αで算出される。このように、算出部９１は、操作部（不図示）での操作結果に基づいて、受信局を設定するためのＤＡＣ値、分周比データを算出する。なお、算出されたＤＡＣ値及び分周比データは、算出部９１により記憶部９５に格納される。
【００３３】
つぎに、算出部９１がＲＤＳデータにおける代替局データに基づいて、代替局のＤＡＣ値、分周比データを算出する場合について説明する。ここで、代替局データは、例えば１０１ＭＨｚの様に代替局の周波数を示すデータである。このため、算出部９１は、前述の場合と同様に、代替局のＤＡＣ値、分周比データを算出する。ただし、ある受信局に対する代替局は、一般に２以上存在する。このため、算出部９１は、代替局データに含まれる代替局の周波数全てに対するＤＡＣ値、分周比データを算出する。なお、以下、代替局の数をｉ個として説明する。また、代替局に対するＤＡＣ値及び分周比データは、算出部９１により記憶部９５に格納される。
【００３４】
制御部９２は、算出部９１でｉ個の代替局のＤＡＣ値、分周比データが算出されるか、後述する判定部９４からの指示に基づいて、音声信号をミュートすべく、パワーアンプ２２を制御する。また、制御部９２は、設定部９３からの指示に基づいて、音声信号のミュートを解除すべくパワーアンプ２２を制御する。
【００３５】
設定部９３は、算出されたＤＡＣ値、分周比データをチューナに２１に設定する。例えば、設定部９３は、代替局サーチされる際に音声信号がミュートされると、算出されたｉ個の代替局のＤＡＣ値及び分周比データを順次チューナ２１に設定する。具体的には、設定部９３は、ｉ個の代替局のうち、周波数が低い代替局に対するＤＡＣ値、分周比データを順次チューナ２１に設定する。そして、設定部９３は、代替局を設定する度に、チューナ２１からの信号ＳＤＣのデジタル値を取得する。なお、設定部９３は、ある代替局を受信する際には、代替局の分周比データ（第４データ）をレジスタ３５に設定データＤ２として設定し、その後ＤＡＣ値（第３データ）をレジスタ３２に設定データＤ１として設定する。そして、設定部９３は、例えば、ｉ個の代替局のうちｋ個の代替局を設定すると、代替局から当初の受信局に変更すべく、当初の受信局に対するＤＡＣ値、分周比データをチューナ２１に設定する。また、設定部９３は、当初の受信局に対するＤＡＣ値、分周比データをチューナ２１に設定すると、音声信号のミュートを解除するための指示を制御部９２に出力する。
【００３６】
つまり、設定部９３は、ミュートされる期間にｋ個の代替局の受信状況を確認する。なお、本実施形態では、ミュート期間がユーザの聴覚に影響を与えない期間内となるよう、ｋ個は決定されている。なお、例えば、設定部９３が設定すべき代替局の数がｋ個より少ない場合、設定部９３は、設定すべき代替局を全て設定した後に当初の受信局を設定することとする。
【００３７】
判定部９４は、設定部９３がｉ個の代替局の全てに対する信号ＳＤＣのデジタル値を取得したか否かを判定する。そして、設定部９３が、ｉ個の代替局の全てに対する信号ＳＤＣのデジタル値を取得していない場合、制御部９２に音声信号を再度ミュートさせ、設定部９３に残りの代替局に対する信号ＳＤＣのデジタル値を取得させる。
【００３８】
記憶部９５は、前述のＤＡＣ値及び分周比データを記憶する。記憶部９５は、例えば、マイコン２５に設けられたキャッシュメモリ等（不図示）である。
【００３９】
＝＝ＲＤＳ受信装置１０の動作＝＝
ここで、ＲＤＳ受信装置１０が代替局サーチをする際の動作について図５、図６を参照しつつ説明する。なお、ここでは、ＲＤＳ受信装置１０には、所定の受信局Ａが設定されており、受信局Ａの代替局は、例えば６個（ｉ＝６）であることとする。また、この際には、受信局ＡのＤＡＣ値、分周比データは、記憶部９５に格納されている。さらに、設定部９３が１回の代替局サーチにおいて取得する代替局の信号ＳＤＣのデジタル値の個数は、例えば３個（ｋ＝３）であることとする。また、以下、ユーザが指定している受信局の６つの代替局を代替局Ｂ，Ｃ，Ｄ，Ｅ，Ｆ，Ｇとし、代替局Ｂ，Ｃ，Ｄ，Ｅ，Ｆ，Ｇの順に周波数が高くなることとする。また、図５、図６のフローチャートの各処理の主体は、マイコン２５が実現する各機能ブロックである。
【００４０】
まず、例えば、所定の受信局Ａの受信状況が悪化し、信号ＳＤＣのレベルが所定より低下すると、生成部９０は代替局サーチの開始を指示する指示信号を生成する（Ｓ１００）。そして、算出部９１は、ＲＤＳデータにおける代替局データに基づいて、代替局Ｂ〜Ｇの夫々に対するＤＡＣ値、分周比データを算出する（Ｓ１０１）。なお、算出された代替局Ｂ〜Ｇの夫々に対するＤＡＣ値、分周比データは、算出部９１により記憶部９５に格納される。
【００４１】
そして、代替局Ｂ〜ＧのＤＡＣ値、分周比データが算出されると、制御部９２は、音声信号をミュートすべく、パワーアンプ２２を制御する（Ｓ１０２）。そして、設定部９３は、代替局Ｂ〜Ｄのうち、周波数の最も低い代替局Ｂの受信状況を確認する（Ｓ１０３）。ここで、前述の処理Ｓ１０３は、例えば、図６に示すような処理Ｓ２００〜Ｓ２０２に相当する。具体的には、まず、設定部９３は、記憶部９５に格納された代替局Ｂの分周比データを取得し、レジスタ３５に設定データＤ２として設定する（Ｓ２００）。そして、設定部９３は、記憶部９５に格納された代替局ＢのＤＡＣ値を取得し、レジスタ３２に設定データＤ１として設定する（Ｓ２０１）。この結果、ＲＤＳ受信装置１０では、代替局Ｂが受信局となる。その後、設定部９３は、代替局Ｂの受信状況を確認すべく信号ＳＤＣのレベルのレベルを測定し、記憶部９５に格納する（Ｓ２０２）。代替局Ｂの受信状況が確認されると、設定部９３は、代替局Ｃ、Ｄの受信状況を続けて確認する（Ｓ１０４、Ｓ１０５）。なお、処理Ｓ１０４、Ｓ１０５では、処理Ｓ１０３と同様の処理（Ｓ２００〜２０２）が実行されている。そして、代替局Ｄの受信状況が確認されると、設定部９３は、当初の受信局Ａの分周比データを記憶部９５から取得し、レジスタ３５に設定データＤ２として設定する（Ｓ１０６）。また、設定部９３は、当初の受信局ＡのＤＡＣ値を記憶部９５から取得し、レジスタ３２に設定データＤ１として設定する（Ｓ１０７）。この結果、ＲＤＳ受信装置１０の受信局が、代替局Ｄから当初の受信局Ａへと変更される。そして、設定部９３は、音声信号のミュートを解除するための指示を制御部９２に出力する。このため、制御部９２は、音声信号のミュートを解除すべくパワーアンプ２２を制御する（Ｓ１０７）。この結果、ユーザの操作結果に基づく受信局が再生されることとなる。また、判定部９４は、６つの代替局の全てに対する信号ＳＤＣのデジタル値を取得したか否かを判定する（Ｓ１０６）。そして、判定部９４が、３つの代替局Ｅ，Ｆ，Ｇに対する信号ＳＤＣのデジタル値を取得していないと判定するため（Ｓ１０８：ＮＯ）、制御部９２に音声信号を再度ミュートさせる（Ｓ１０２）。なお、３つの代替局Ｅ，Ｆ，Ｇに対する信号ＳＤＣのデジタル値は、前述の処理Ｓ１０２〜Ｓ１０７と同様の処理が実行される。そして、全ての代替局Ｂ〜Ｇに対する信号ＳＤＣのデジタル値が取得されると判定されると（Ｓ１０８：ＹＥＳ）、一連の処理は終了する。この結果、マイコン２５が前述の代替局サーチの処理の結果を用いることにより、例えば、ＲＤＳ受信装置１０を受信状況の良い代替局へと切り替えることができる。
【００４２】
以上、本実施形態のＲＤＳ受信装置１０について説明した。前述したように、マイコン２５では、受信局Ａの代替局Ｂ〜Ｇを受信するためのデータ（ＤＡＣ値、分周比データ）が、ミュートされる前に算出されている。したがって、例えば、ミュートしてから代替局Ｂ〜Ｇを受信するためのデータを算出する場合と比較すると、ミュート期間を短くすることができる。このため、代替局の受信状態に関する情報を取得する際に生じる再生音の違和感を軽減することができる。
【００４３】
また、マイコン２５では、ミュートされる前にＤＡＣ値と、分周比データとの両方のデータを算出している。このため、例えば、何れか一方のみをミュートされる前に算出する場合と比較すると、よりミュート期間を短くできる。
【００４４】
また、ＰＬＬ３４は同調回路３０と異なり帰還制御されている。このため、ＰＬＬ３４の発振信号が安定するまでの時間は、同調回路３０のフィルタ特性が安定するまでの時間より長くなる。本実施形態では、マイコン２５における設定部９３は、受信局を代替局へと切り替える際に、まずレジスタ３５に分周比データを設定した後、レジスタ３２にＤＡＣ値を設定している。つまり、安定化するまでより時間のかかるＰＬＬ３４の分周比データが、同調回路３０のＤＡＣ値より先に設定されている。したがって、ＲＤＳ受信装置１０は、代替局に切り替える際に、時間的に速く代替局を受信可能となる。
【００４５】
また、例えばある代替局から他の代替局に切り替えた際に、両者の周波数の差が小さい程ＰＬＬ３４の発振周波数が安定するまでの時間は短くなる。マイコン２５の設定部９３は、例えば、代替局Ｂ，Ｃ，Ｄを設定する際、周波数の低い代替局Ｂから順に設定している。このため、例えば、代替局Ｂ，Ｄ，Ｃ等の順にＰＬＬ３４を変化させる場合と比較すると、ＰＬＬ３４の発振周波数が安定するまでの時間は短くなる。この結果、ＲＤＳ受信装置１０は、複数の代替局に切り替える際に、時間的に速く代替局を受信可能となる。
【００４６】
また、ＲＯＭ６２には、図５に示すように、マイコン２５に対し、代替局のＤＡＣ値及び分周比データを算出させ、音声信号をミュートさせ、代替局の受信状況を確認させるためのプログラムが格納されている。
【００４７】
また、チューナ２１、ＲＤＳ復調回路２４、及ぶマイコン２５を含むＲＤＳ受信装置１０では、受信局Ａの代替局Ｂ〜Ｇを受信するためのデータ（ＤＡＣ値、分周比データ）が、ミュートされる前に算出されている。このため、ＲＤＳ受信装置１０は、代替局の受信状態に関する情報を取得する際に生じる再生音の違和感を軽減することができる。
【００４８】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００４９】
２０  アンテナ
２１  チューナ
２２  パワーアンプ
２３  スピーカ
２４  ＲＤＳ復調回路
２５  マイコン
３０  同調回路
３１  ＤＡコンバータ（ＤＡＣ）
３２，３５  レジスタ
３３  ミキサ（ＭＩＸ）
３４  位相同期回路（ＰＬＬ）
４０  フィルタ
４１  ＩＦアンプ
４２  検波回路
４３  マトリクス回路（ＭＰＸ）
５０  Ｓメータ回路
５１  ＩＦカウンタ
５２  クオリティセンサ回路（Ｑセンサ）
５３  バス
６０，６１  ＡＤＣ
６２  ＲＯＭ
６３  ＲＡＭ
６４  マイコンコア
７０  インダクタ
７１  コンデンサ
７２  バラクタ
８０  電圧制御発振回路（ＶＣＯ）
８１  分周回路
８２  位相比較回路
８３  ローパスフィルタ（ＬＰＦ）
９０  生成部
９１  算出部
９２  制御部
９３  設定部
９４  判定部
９５  記憶部
【図１】
2011077665.tif 000003
【図２】
2011077665.tif 000004
【図３】
2011077665.tif 000005
【図４】
2011077665.tif 000006
【図５】
2011077665.tif 000007
【図６】
2011077665.tif 000008